(57)【要約】【課題】本発明は、通話料金や通話時間を発信者に対して通知することにより、ＩＰ電話システムにおいて発信者の通話料金及び通話時間の管理を助け、金銭管理を行うことができる。【解決手段】本発明のＩＰ電話装置における通話料金通知装置は、通話時間を計時する計時手段と、計時手段より得られる通話時間に対応する通話料金を計算する通話料金計算手段と、通話料金計算手段によって計算された通話料金を発呼元であるＩＰ電話装置側に送信して通知する通話料金通知手段とを有する。【選択図】        図２
2004328033.tif 000002
【特許請求の範囲】
【請求項１】
音声データをパケット化してＩＰ通話を行うＩＰ電話装置における通話料金通知装置において、
通話時間を計時する計時手段と、
該計時手段より得られる通話時間に対応する通話料金を計算する通話料金計算手段と、
該通話料金計算手段によって計算された通話料金を発呼元であるＩＰ電話装置側に送信して通知する通話料金通知手段と
を有することを特徴とするＩＰ電話装置における通話料金通知装置。
【請求項２】
前記通話時間から通話料金を算出するための通話料金算出表を記憶する記憶手段を有する請求項１記載のＩＰ電話装置における通話料金通知装置。
【請求項３】
前記記憶手段に記憶される前記通話料金算出表は書き換え可能である請求項２記載のＩＰ電話装置における通話料金通知装置。
【請求項４】
前記通話料金算出表は外部記録装置からの読み込みデータによって書き換えられる請求項３記載のＩＰ電話装置における通話料金通知装置。
【請求項５】
前記通話料金算出表はＩＰ電話事業者側の情報に応じてＩＰネットワーク経由で書き換えが行われる請求項３記載のＩＰ電話装置における通話料金通知装置。
【請求項６】
通信先がＩＰ電話か一般加入電話かを識別する識別手段を有する請求項１記載のＩＰ電話装置における通話料金通知装置。
【請求項７】
前記識別手段はダイヤル番号で識別する請求項６記載のＩＰ電話装置における通話料金通知装置。
【請求項８】
前記識別手段によって識別結果に基づいて前記通話料金通知手段はＩＰネットワーク内の通話料金と電話網内の通話料金を別々に通知する請求項１、６又は７のいずれかに記載のＩＰ電話装置における通話料金通知装置。
【請求項９】
音声データをパケット化してＩＰ通話を行うＩＰ電話装置における通話料金通知方法において、
通話時間を計時し、計時した通話時間に対応する通話料金を計算し、計算された通話料金を発呼元であるＩＰ電話装置側に送信して通知することを特徴とするＩＰ電話装置における通話料金通知方法。
【請求項１０】
ＩＰネットワーク内の通話料金と電話網内の通話料金を別々に通知する請求項９記載のＩＰ電話装置における通話料金通知方法。
【請求項１１】
請求項９又は１０のいずれかに記載のＩＰ電話装置における通話料金通知方法を実行するためのプログラムを格納したコンピュータ読み取り可能な記録媒体。
【発明の詳細な説明】
【０００１】
【発明の属する技術分野】
本発明はＩＰ電話装置における通話料金通知装置、ＩＰ電話装置における通話料金通知方法及び該方法を実行するためのプログラムを格納したコンピュータ読み取り可能な記録媒体に関し、詳細には料金検出及びその通知を行うシステムを備えたＩＰ電話装置に関する。
【０００２】
【従来の技術】
【特許文献１】特開２００２−２９０６３３号公報
現在、ブロードバンド環境を通して音声パケットを通信し、会話を行うシステムであるＩＰ電話システムが普及しつつある。この通信システムは、専用線で接続された交換機間の通信については課金されないため通話料金の面で大きなメリットがある。一方では、専用線以外の他の交換機の先の、例えば公衆回線網に接続された電話機に発呼することもある。この場合、使用した局線が加入しているキャリア毎に通話料金が異なり、しかもそれぞれの料金体系が異なる場合が多い。そこで、従来からＩＰ電話の通話料金の集計と管理に関するいくつかの提案がなされている。その一つとして、上記特許文献１によれば、複数の交換機がネットワークで接続された通信環境で、それぞれの交換機を越えた局線への通話時に、通話元の交換機に通話料金の情報を通知してＩＰ電話機が他の交換機に接続された局線を利用して通話したときの通話料金を発呼元の交換機側で蓄積及び管理することができる。
【０００３】
【発明が解決しようとする課題】
しかしながら、上記特許文献１のように、発呼元の交換機側で通話料金を管理するために、発信者は通話料金を知るために、交換機を管理する電話会社に通話料金を問い合わせしなければならず、また通話料金の問い合わせをせずして通話料金状況を把握しないで通話をしている場合金銭管理を行うことができなかった。
【０００４】
本発明はこれらの問題点を解決するためのものであり、通話料金や通話時間を発信者に対して通知することにより、ＩＰ電話システムにおいて発信者の通話料金及び通話時間の管理を助け、金銭管理を行うことができる、ＩＰ電話装置における通話料金通知装置、ＩＰ電話装置における通話料金通知方法及び該方法を実行するためのプログラムを格納したコンピュータ読み取り可能な記録媒体を提供することを目的とする。
【０００５】
【課題を解決するための手段】
前記問題点を解決するために、本発明のＩＰ電話装置における通話料金通知装置は、通話時間を計時する計時手段と、計時手段より得られる通話時間に対応する通話料金を計算する通話料金計算手段と、通話料金計算手段によって計算された通話料金を発呼元であるＩＰ電話装置側に送信して通知する通話料金通知手段とを有することに特徴がある。よって、発信者の通信に対する時間管理と金銭管理の効率化を促すことができる。
【０００６】
また、通話時間から通話料金を算出するための通話料金算出表を記憶する記憶手段を有することにより、簡単に通話料金を算出することできる。
【０００７】
更に、記憶手段に記憶される通話料金算出表は書き換え可能であることにより、料金変更に対して柔軟に対応することできる。
【０００８】
また、通話料金算出表は外部記録装置からの読み込みデータによって書き換えられることにより、料金変更に対して柔軟に対応することできる。
【０００９】
更に、通話料金算出表はＩＰ電話事業者側の情報に応じてＩＰネットワーク経由で書き換えが行われることにより、ＩＰネットワークの基本料金が変更された時などにユーザ側とＩＰ電話事業者側の両方から対応可能であり、料金変更に対して柔軟に対応することできる。
【００１０】
また、通信先がＩＰ電話か一般加入電話かを識別する識別手段を有することにより、ＩＰネットワーク内と電話網内それぞれの通話料金を別々に通知しているので発信者の通信に対する金銭管理の効率化を促すことができる。
【００１１】
更に、識別手段はダイヤル番号で識別することにより、簡単に通信先がＩＰ電話か一般加入電話かを識別できる。
【００１２】
また、識別手段によって識別結果に基づいて通話料金通知手段はＩＰネットワーク内の通話料金と電話網内の通話料金を別々に通知することにより、発信者の通信に対する金銭管理の効率化を促すことができる。
【００１３】
更に、別の発明のＩＰ電話装置における通話料金通知方法によれば、通話時間を計時し、計時した通話時間に対応する通話料金を計算し、計算された通話料金を発呼元であるＩＰ電話装置側に送信して通知することに特徴がある。よって、発信者の通信に対する時間管理と金銭管理の効率化を促すことができる。
【００１４】
また、ＩＰネットワーク内の通話料金と電話網内の通話料金を別々に通知することにより、発信者の通信に対する金銭管理の効率化を促すことができる。
【００１５】
更に、上記ＩＰ電話装置における通話料金通知方法を実行するためのプログラムを格納したコンピュータ読み取り可能な記録媒体に特徴がある。よって、既存のシステムを変えることなく、通話料金通知システムを汎用的に構築することができる。
【００１６】
【発明の実施の形態】
本発明のＩＰ電話装置における通話料金通知装置は、通話時間を計時する計時手段と、計時手段より得られる通話時間に対応する通話料金を計算する通話料金計算手段と、通話料金計算手段によって計算された通話料金を発呼元であるＩＰ電話装置側に送信して通知する通話料金通知手段とを有する。
【００１７】
【実施例】
図１は本発明の一実施例に係るＩＰ電話装置を適用するＩＰ電話システムの構成を示すブロック図である。同図において、ＩＰ電話システムは、ＩＰ電話装置１１，１６、ＩＰ電話アダプタ１２，１５、ＩＰ電話事業者１３、ＩＰネットワーク１４、ゲートウェイ１７、電話回線網１８、一般加入電話機１９を含んで構成されている。なお、発信先となるＩＰ電話装置、一般加入電話機は複数設けられるものであるが、ここでは省略している。そして、ＩＰ電話アダプタ１２，１５は、ＩＰ電話装置１１，１６からのアナログ音声信号をデジタル信号に音声符号化変換してＩＰパケットに詰め込む機能を担うものである。
【００１８】
このような構成を有するＩＰ電話システムにおいて、ＩＰ電話装置１１を利用する際、発信者はＩＰ電話装置１１の受話器を取って相手先電話番号をダイヤルする。この時の通話内容はアナログ音声としてＩＰ電話アダプタ１２へと送信される。このＩＰ電話アダプタ１２は受話器から取り込んだアナログ音声信号をデジタル信号に音声符号化変換してＩＰパケットに詰め込む。ＩＰ電話アダプタ１２でアナログ信号から変換された音声パケットはＡＤＳＬ回線等によりＩＰ電話事業者１３を経由しＩＰネットワーク１４上を、ルータを経由して流れる。ここで相手先がＩＰ電話装置１６であった場合相手先のＩＰ電話アダプタ１５にて音声パケットをアナログ音声に変換され、受信者のＩＰ電話装置１６へと繋がる。また、相手先が一般加入電話機１９であった場合ＩＰネットワーク１４上からゲートウェイ１７で音声パケットをアナログ音声に変換し、電話回線網１８を経由して受信者の一般加入電話機１９へと繋がる。
【００１９】
図２は図１のＩＰ電話アダプタの構成を示すブロック図である。同図において、ＩＰ電話アダプタ２０は、後述する電話インターフェース２１及びＡＤＳＬ回線４０を介してＩＰ電話装置３０に接続され、また後述するＡＤＳＬモデム２５を介してＡＤＳＬ回線や光ファイバ等の通信回線５０を介して図示していない他のＩＰ電話事業者に接続されている。また、ＩＰ電話アダプタ２０は、ＩＰ電話装置３０とのインターフェースを司る電話インターフェース２１、全体の制御を司ると共に後述するＲＯＭ２３に記憶されたＩＰネットワーク内通信の単位時間料金表と後述するＲＡＭ２４に記憶された通話時間などとに基づいて通話料金を計算するＣＰＵ２２、制御プログラムやＩＰネットワーク内通信の単位時間料金表が記憶されるＲＯＭ２３、各データ、例えば通話開始時刻、通話終了時刻、通話時間などを記憶するＲＡＭ２４、アナログ音声信号をデジタル音声信号へ、又はデジタル音声信号をアナログ信号へ変換するＡＤＳＬモデム２５を含んで構成され、各構成部はバス２６を介してそれぞれ接続されている。
【００２０】
次に、本実施例のＩＰ電話装置における電話料金通知装置の動作について当該動作フローを示す図３に従って説明すると、先ずＩＰ電話サービスにおいて発信者が図２のＩＰ電話装置３０から通信を開始すると（ステップＳ１０１）、図示していないタイマが計時を開始する（ステップＳ１０２）。通信が終了すると（ステップＳ１０３）タイマの計時がストップして終了までの通話時間は通話開始時刻及び通話終了時刻の差から測定し（ステップＳ１０４）、図２のＲＡＭ２４に記録する。次に、当該通話時間とＲＯＭ２３に記憶されているＩＰネットワーク内通信の単位時間料金表とからＩＰネットワーク内の電話料金を図２のＣＰＵ２２で計算され、それをＲＡＭ２４に記録する（ステップＳ１０５）。次に、通話相手先がＩＰ電話か一般加入電話かの判断を行う（ステップＳ１０６）なお、この判断は、ＩＰ電話装置搭載のＲＯＭにＩＰ電話の特徴である番号が“０５０”から始まることを記録しておき、その情報とダイヤルとを比較することで判断できる。その時、通話相手先が加入電話ならば（ステップＳ１０６；ＮＯ）加入電話網内の通話料金をＩＰネットワーク内通信の料金の計算方法と同様に行い、それをＲＡＭ２４に記録し、ＲＡＭ２４に記録した通話時間とＩＰネットワーク内通信の料金、加入電話網内の通話料金を発信者が使用した図２のＩＰ電話装置３０に図２のＡＤＳＬ回線４０を通して送信して通知する（ステップＳ１０７，Ｓ１０８）。一方、通話相手先がＩＰ電話ならば（ステップＳ１０６；ＹＥＳ）ＲＡＭ２４に記録した通話時間とＩＰネットワーク内通信の料金を発信者が使用したＩＰ電話装置２０へＡＤＳＬ回線４０を通して送信して通知する（ステップＳ１０８）。このようにして、ＲＡＭ２４に記録したＩＰネットワーク内の通話料金と電話網内の通話料金を別々に、発信者が使用したＩＰ電話装置２０へとＡＤＳＬ回線４０を通して送信して通知する。
【００２１】
次に、図４は本発明のシステム構成を示すブロック図である。つまり、同図は上記実施例におけるＩＰ電話装置における通話料金通知方法によるソフトウェアを実行するマイクロプロセッサ等から構築されるハードウェアを示すものである。同図において、通話料金通知システムはインターフェース（以下Ｉ／Ｆと略す）４１、ＣＰＵ４２、ＲＯＭ４３、ＲＡＭ４４、表示装置４５、ハードディスク４６、キーボード４７及びＣＤ−ＲＯＭドライブ４８を含んで構成されている。また、汎用の処理装置を用意し、ＣＤ−ＲＯＭ４９などの読取可能な記憶媒体には、本発明のＩＰ電話装置における通話料金通知方法を実行するプログラムが記憶されている。更に、Ｉ／Ｆ４１を介して外部装置から制御信号が入力され、キーボード４７によって操作者による指令又は自動的に本発明のプログラムが起動される。そして、ＣＰＵ４２は当該プログラムに従って上述のＩＰ電話装置における通話料金通知方法に伴う制御処理を施し、その処理結果をＲＡＭ４４やハードディスク４６等の記憶装置に格納し、必要により表示装置４５などに出力する。以上のように、本発明のＩＰ電話装置における通話料金通知方法を実行するプログラムが記憶した媒体を用いることにより、既存のシステムを変えることなく、通話料金通知システムを汎用的に構築することができる。
【００２２】
なお、本発明は上記実施例に限定されるものではなく、特許請求の範囲内の記載であれば多種の変形や置換可能であることは言うまでもない。
【００２３】
【発明の効果】
以上説明したように、本発明のＩＰ電話装置における通話料金通知装置は、通話時間を計時する計時手段と、計時手段より得られる通話時間に対応する通話料金を計算する通話料金計算手段と、通話料金計算手段によって計算された通話料金を発呼元であるＩＰ電話装置側に送信して通知する通話料金通知手段とを有することに特徴がある。よって、発信者の通信に対する時間管理と金銭管理の効率化を促すことができる。
【００２４】
また、通話時間から通話料金を算出するための通話料金算出表を記憶する記憶手段を有することにより、簡単に通話料金を算出することできる。
【００２５】
更に、記憶手段に記憶される通話料金算出表は書き換え可能であることにより、料金変更に対して柔軟に対応することできる。
【００２６】
また、通話料金算出表は外部記録装置からの読み込みデータによって書き換えられることにより、料金変更に対して柔軟に対応することできる。
【００２７】
更に、通話料金算出表はＩＰ電話事業者側の情報に応じてＩＰネットワーク経由で書き換えが行われることにより、ＩＰネットワークの基本料金が変更された時などにユーザ側とＩＰ電話事業者側の両方から対応可能であり、料金変更に対して柔軟に対応することできる。
【００２８】
また、通信先がＩＰ電話か一般加入電話かを識別する識別手段を有することにより、ＩＰネットワーク内と電話網内それぞれの通話料金を別々に通知しているので発信者の通信に対する金銭管理の効率化を促すことができる。
【００２９】
更に、識別手段はダイヤル番号で識別することにより、簡単に通信先がＩＰ電話か一般加入電話かを識別できる。
【００３０】
また、識別手段によって識別結果に基づいて通話料金通知手段はＩＰネットワーク内の通話料金と電話網内の通話料金を別々に通知することにより、発信者の通信に対する金銭管理の効率化を促すことができる。
【００３１】
更に、別の発明のＩＰ電話装置における通話料金通知方法によれば、通話時間を計時し、計時した通話時間に対応する通話料金を計算し、計算された通話料金を発呼元であるＩＰ電話装置側に送信して通知することに特徴がある。よって、発信者の通信に対する時間管理と金銭管理の効率化を促すことができる。
【００３２】
また、ＩＰネットワーク内の通話料金と電話網内の通話料金を別々に通知することにより、発信者の通信に対する金銭管理の効率化を促すことができる。
【００３３】
更に、上記ＩＰ電話装置における通話料金通知方法を実行するためのプログラムを格納したコンピュータ読み取り可能な記録媒体に特徴がある。よって、既存のシステムを変えることなく、通話料金通知システムを汎用的に構築することができる。
【図面の簡単な説明】
【図１】本発明の一実施例に係るＩＰ電話装置を適用するＩＰ電話システムの構成を示すブロック図である。
【図２】図１のＩＰ電話アダプタの構成を示すブロック図である。
【図３】本実施例のＩＰ電話装置における電話料金通知装置の動作を示すフローチャートである。
【図４】本発明のシステム構成を示すブロック図である。
【符号の説明】
１１，１６，３０；ＩＰ電話装置、１２，１５，２０；ＩＰ電話アダプタ、
１３；ＩＰ電話事業者、１４；ＩＰネットワーク、１７；ゲートウェイ、
１８；電話回線網、１９；一般加入電話機、２１；電話インターフェース、
２２；ＣＰＵ、２３；ＲＯＭ、２４；ＲＡＭ、２５；ＡＤＳＬアダプタ、
２６；バス、４０；ＡＤＳＬ回線、５０；通信回線。
【図１】
2004328033.tif 000003
【図２】
2004328033.tif 000004
【図３】
2004328033.tif 000005
【図４】
2004328033.tif 000006